(57)【特許請求の範囲】
【請求項１】
下面開口を有する器具本体と、略逆Ｖ字形であってその中央部が前記下面開口の内側部に保持されて両脚片を垂下した支持ばねと、この支持ばねの前記両脚片を挿通させて前記支持ばねの開脚招待で支持されるばね受けを縁部に有して前記下面開口を閉じた水平姿勢と前記下面開口から開いた仮吊り状態の垂下姿勢とに保持可能な配光制御部材とを備え、
前記ばね受けは、前記配光制御部材の前記水平姿勢で水平な取付支持板を有し、この取付支持板に前記支持ばねの前記両脚片を挿通させる係合孔部を設けて前記両脚片を前記係合孔部の一対向縁部に係合させ、前記係合孔部の前記一対向縁部に交差する方向で前記配光制御部材の中央側の孔縁部に前記器具本体側に突出するように折曲部を形成し、前記配光制御部材を前記水平姿勢から前記垂下姿勢に回動した際に前記支持ばねの前記両脚片が前記一対向縁部から離れて前記折曲部に係合する仮吊り部を有する照明器具。
【請求項２】
前記係合孔部は前記一対向縁部の対向方向に長い略長孔に形成され、前記係合孔部の短手方向の寸法が前記支持ばねの両脚片が挿入容易となる程度に幅広に形成され、前記係合孔部の長手方向はその最大幅部を前記仮吊り部に隣接して形成している請求項１記載の照明器具。
【請求項３】
前記係合孔部の前記長手方向の両端の形状は前記最大幅部に接近するにつれて略連続的に幅が変化する請求項２記載の照明器具。
【請求項４】
前記係合孔部の前記長手方向における前記仮吊り部の最大間隔を前記係合孔部の前記最大幅部よりも大とし、前記支持ばねを前記最大幅部から前記仮吊り部に前記支持ばねをガイドするガイド部を設けた請求項２記載の照明器具。
【請求項５】
前記仮吊り部は前記係合孔部の前記長手方向の両端にそれぞれ分離しており、その隙間に対向する対向端に、前記支持ばねの両脚片が相接近する方向に移動するのを制限する移動制限手段を設けた請求項１記載の照明器具。
【発明の詳細な説明】
【０００１】
【発明の属する技術分野】
この発明は、下面カバー等を支持する支持ばねを有する照明器具に関するものである。
【０００２】
【従来の技術】
図１３（ａ）に示す埋込型の下面カバー付き照明器具や、同図（ｂ）に示す直付け型の下面カバー付き照明器具がある。１００は器具本体、１０１は下面カバー、１０２は天井である。
埋込型照明器具の下面カバーは、図１４に示すように、略Ｖ字形の支持ばね１０３を下面カバー１０１側に設け、そのばね受け１０４を器具本体１００に設けて、支持ばね１０３をばね受け１０４に係止することにより、下面カバー１０１を器具本体１００に取付けている。この場合、支持ばね１０３は下面カバー１０１に揺動自在に取付けているため、メンテナンス時等に図１６に示すように片側の支持ばね１０３を外したとき下面カバー１０１がスムースに垂直姿勢の仮吊り状態となっている。１０５は反射板、１０６は安定器、１０７はランプソケットである。
【０００３】
しかし、この構造ではばね収納スペースを確保するため器具本体１００の高さＨが高くなり、薄型の要請の強い図１７に示すような直付け型照明器具には向かない。図１５に示す照明器具は、ばね受け１０４の形状が異なるだけで、他と図１４の照明器具と同様である。
直付け型照明器具の場合、図１７に示すように支持ばね１０３を器具本体１００に取付け、ばね受け１０４を下面カバー１０１側に設けて、器具本体１００の高さを小さくできるようにしている。
【０００４】
しかし、この構造では図１７（ｃ）に示すように仮吊り状態にすると、同図（ｄ）のように支持ばね１０３がばね受け１０４に対して反るように曲がるので、同図（ｅ）のように下面カバー１０１に応力がかかり、下面カバー１０１の破損の原因となる。
この問題を解決するため、図１８に示すように揺動自在に可動するばね受け１０４′を設けたものがあった。
【０００５】
【発明が解決しようとする課題】
しかし、施工時に、ばね受け１０４′が揺動するため支持ばね１０３をばね受けに引掛にくいという欠点があった。また図１８（ｄ）に示すように支持ばね１０３が思わぬ箇所例えば支持ばね１０３ではなく下面カバー１０１に引っ掛かることがあった。
【０００６】
したがって、この発明の目的は、器具本体に支持ばねを設けたものにおいて、下面カバー等の仮吊り状態で下面カバーに応力が加わることがなく、しかも下面カバー等の取付時の施工性が容易な照明器具を提供することである。
【０００７】
【課題を解決するための手段】
請求項１記載の照明器具は、下面開口を有する器具本体と、略逆Ｖ字形であってその中央部が前記下面開口の内側部に保持されて両脚片を垂下した支持ばねと、この支持ばねの前記両脚片を挿通させて前記支持ばねの開脚招待で支持されるばね受けを縁部に有して前記下面開口を閉じた水平姿勢と前記下面開口から開いた仮吊り状態の垂下姿勢とに保持可能な配光制御部材とを備え、
前記ばね受けは、前記配光制御部材の前記水平姿勢で水平な取付支持板を有し、この取付支持板に前記支持ばねの前記両脚片を挿通させる係合孔部を設けて前記両脚片を前記係合孔部の一対向縁部に係合させ、前記係合孔部の前記一対向縁部に交差する方向で前記配光制御部材の中央側の孔縁部に前記器具本体側に突出するように折曲部を形成し、前記配光制御部材を前記水平姿勢から前記垂下姿勢に回動した際に前記支持ばねの前記両脚片が前記一対向縁部から離れて前記折曲部に係合する仮吊り部を有するものである。
【０００８】
請求項１記載の照明器具によれば、配光制御部材の取付状態である水平姿勢から仮吊り状態である垂下姿勢に回動するとき、支持ばねの両脚片が係合孔部の一対向縁部への係合状態から仮吊り部への係合状態に移動するため、従来のように支持ばねが反らなくなり、配光制御部材に加わる応力を防止することができる。またばね受けは固定されているので施工容易である。
【０００９】
請求項２記載の照明器具は、請求項１において、前記係合孔部が前記一対向縁部の対向方向に長い略長孔に形成され、前記係合孔部の短手方向の寸法が前記支持ばねの両脚片が挿入容易となる程度に幅広に形成され、前記係合孔部の長手方向はその最大幅部を前記仮吊り部に隣接して形成しているものである。
請求項２記載の照明器具によれば、請求項１と同様な効果のほか、配光制御部材が水平姿勢から垂下姿勢に回動するとき、支持ばねが最大幅部から仮吊り部にスムースに移行することができるので、施工がさらに容易になり、不用意な取扱いに対しても配光制御部材がより一層破損しにくくなる。
【００１０】
請求項３記載の照明器具は、請求項２において、前記係合孔部の前記長手方向の両端の形状は前記最大幅部に接近するにつれて略連続的に幅が変化するものである。
請求項３記載の照明器具によれば、請求項２と同様な効果のほか、支持ばねは係合孔部の一対向縁部の任意の位置からスムースに最大幅部に移行することができる。
【００１１】
請求項４記載の照明器具は、請求項２において、前記係合孔部の前記長手方向における前記仮吊り部の最大間隔を前記係合孔部の前記最大幅部よりも大とし、前記支持ばねを前記最大幅部から前記仮吊り部に前記支持ばねをガイドするガイド部を設けたものである。
請求項４記載の照明器具によれば、請求項２と同様な効果のほか、ガイド部により支持ばねが最大幅部から仮吊り部にスムースに移行することができる。
【００１２】
請求項５記載の照明器具は、請求項１において、前記仮吊り部が前記係合孔部の前記長手方向の両端にそれぞれ分離しており、その隙間に対向する対向端に、前記支持ばねの両脚片が相接近する方向に移動するのを制限する移動制限手段を設けたものである。
請求項５記載の照明器具によれば、請求項１と同様な効果のほか、仮吊り部の隙間を通して支持ばねを係合孔部に抜き差しできるので施工容易になるとともに、移動制限手段により支持ばねを不用意につまんで配光制御部材が外れるのを防止することができる。
【００１３】
【発明の実施の形態】
この発明の第１の実施の形態を図１から図７により説明する。すなわち、この照明器具は、器具本体１と、配光制御部材２と、支持ばね３とを有する。
器具本体１は、下面開口５を有する。実施の形態の器具本体１は天井直付け型であり、平面的に長方形状で高さの低い薄箱形に形成し、天部を天井に取付けている。器具本体１の両端部の内壁に相対向する一対のランプソケット７をそれぞれ設け、ランプソケット７に直管蛍光ランプ（図示せず）が装着される。直管蛍光ランプ間には断面Ｖ字形の反射板８が取付けられ、その内部の器具本体１に安定器９が取付けられている。また器具本体１の両側部の内壁にそれぞれ複数のばね取付部１０をねじ２３により取付けている。
【００１４】
支持ばね３は、略逆Ｖ字形であってその中央部１１が下面開口５の内側部に保持されて両脚片６を垂下している。実施の形態の支持ばね３は、キックばねであり、線ばねの中央部１１に巻き部を形成し、両脚片６を逆Ｖ字形に開脚し、さらに脚片６の先端を巻き部の軸方向に曲げ、さらにその端部を直角に曲げて引っ掛かり部１２を形成している。そして中央部１１の巻き部を各ばね取付部１０に通すことにより取付けて、支持ばね３を器具本体１に揺動自在に取付けている。
【００１５】
配光制御部材２は、支持ばね３の両脚片６を挿通させて支持ばね３の開脚状態で支持されるばね受け４を縁部に有して、下面開口５を閉じた水平姿勢と下面開口５から開いた仮吊り状態の垂下姿勢とに保持可能にしている。実施の形態の配光制御部材２は例えば透光性のあるプラスチック製の下面カバーであり、上面に開口を有する箱形に形成され、周面は器具本体１より外方に張出しているが開口縁には内つば２ａを設け、内つば２ａに筒部２ｂを設け、筒部２ｂにばね受け４をねじ２２により取付けている。
【００１６】
ばね受け４は、配光制御部材２の水平姿勢で水平な取付支持板１６を有し、この取付支持板１６に支持ばね３の両脚片６を挿通させる係合孔部１４を設けて両脚片６を係合孔部１４の一対向縁部１５に係合させている。またばね受け４は仮吊り部１７を有し、係合孔部１４の一対向縁部１５に交差する方向で配光制御部材２の中央側の孔縁部に器具本体１側に突出するように折曲部２０を形成し、配光制御部材２を水平姿勢から垂下姿勢に回動した際に支持ばね３の両脚片６が一対向縁部１５から離れて折曲部２０に係合させる。
【００１７】
実施の形態では、係合孔部１４が図６に示すように一対向縁部１５の並ぶ方向に長い略長孔状であり、その長さは支持ばね３の開脚力による配光制御部材２の引上げ力をもとに設定された開脚距離Ｌ1 に形成され、短手方向の寸法幅Ｌ2 は少なくとも支持ばね３の両脚片６の太さよりも幅広である。また仮吊り部１７は係合孔部１４の縁部を板厚方向に曲げて支持ばね３の取付側に突出する折曲部２０と、折曲部２０から取付支持板１６に平行に延長した外れ防止片２１からなっている。折曲部２０の突出量は、取付支持部１６から少なくとも支持ばね３の両脚片６の太さよりも大きくしている。なお、外れ防止片２１の中央部の斜線部分を切除して隙間を形成し両脚片６をその隙間から挿脱しやすくすることができる。
【００１８】
配光制御部材２の着脱および仮吊りを図４および図５により説明する。図４（ａ）は配光制御部材２の一側のばね受け４の係合孔部１４に支持ばね３の両脚片６を挿通し、さらに他側のばね受け４の係合孔部１４に支持ばね３の両脚片６を挿通した状態である。支持ばね３は両脚片６を近寄せた状態で係合孔部１４に係合している。同図（ｂ）は配光制御部材２の取付状態であり、（ａ）の状態から配光制御部材２を支持ばね３の両脚片６の開脚力により引上げて内つば２ａを器具本体１の開口縁に係止している。このとき、支持ばね３の両脚片６は図６に示すように一対向縁部１５に係合している。
【００１９】
図５は配光制御部材２を外す場合を示し、（ａ）は配光制御部材２を器具本体１から支持ばね３に抗して引き下げた状態である。（ｂ）は（ａ）により器具本体１と配光制御部材２との間に指を挿入できる隙間ができるので、配光制御部材２の一側の支持ばね３の両脚片６を引き寄せて係合孔部１４から外した状態であり、配光制御部材２の他側の支持ばね３は係合孔部１４に係合したままであるので、配光制御部材２は矢印のように回動して垂下姿勢に仮吊りされる。図７（ａ）（ｂ）はこのときの支持ばね３の係合状態を示している。（ａ）は図５（ａ）の状態であり、両脚片６は一対向縁部１５に係止している。（ｂ）は配光制御部材２が垂下姿勢に回動した状態であり、このとき係合孔部１４は両脚片６と略平行な姿勢となるので両脚片６が一対向縁部１５から離れ、仮吊り部１７に係合する。このため、従来の両脚片６の反りがなくなり、ばね受け４にこじりが加わらなくなる。さらに配光制御部材２を取り外す場合は支持ばね３の両脚片６を撓ませて引き寄せ係合孔部１４より引き抜く。
【００２０】
この実施の形態によれば、配光制御部材２の取付状態である水平姿勢から仮吊り状態である垂下姿勢に回動するとき、支持ばね３の両脚片６が係合孔部１４の一対向縁部１５への係合状態から仮吊り部１７への係合状態に移動するため、従来のように支持ばねが反らなくなり、配光制御部材２に加わる応力を防止することができる。
【００２１】
すなわち、係合孔部１４に仮吊り部１７を設け、配光制御部材２の通常取付状態と仮吊り状態のばね係合形態を変化させることにより、支持ばね３は常に仮吊り部１７に垂直に係合し、支持ばね３のばね受け４にかかる無理なこじり力を回避できる。したがって、配光制御部材２が器具本体１の幅より張出幅の大きい下面カバーの付いた照明器具である場合に特に有用であり、不用意な取扱いなどによる配光制御部材２の片落とし時のこじりによる破壊を回避できる。また器具本体１の周面よりも張出しが大きいトリムレスカバー付き器具においてはそのカバーの片落とし時の天井面とのこじりを回避でき破壊防止することができる。
【００２２】
またばね受け４は固定されているので施工容易である。すなわち、従来構造における取付時の施工性についても改善でき、支持ばね３の移動がスムースに行なわれるため、配光制御部材２の取扱いが非常に容易であり、不意な片落とし等に対する配慮が不要である。
この発明の第２の実施の形態を図８により説明する。すなわち、この照明器具は、第１の実施の形態において、係合孔部１４は一対向縁部１５の対向方向に長い略長孔に形成されたものであって、係合孔部１４の短手方向の寸法幅Ｌ2 ′が支持ばね３の両脚片６が挿入容易となる程度に幅広に形成され、係合孔部１４の長手方向はその最大幅部１５ａを仮吊り部１７に隣接して形成している。また仮吊り部１７が係合孔部１４の長手方向の両端にそれぞれ分離しており、その間に隙間２５を形成している。その他は、第１の実施の形態と同様である。
【００２３】
この実施の形態によれば、配光制御部材２の水平姿勢では両脚片６が係合孔部１４の最大幅部１５ａにおさまるので、配光制御部材２を垂下姿勢に回動すると必ず仮吊り部１７に係合することとなる。例えば同図（ｃ）のように最大幅部を設けない構成では、同図（ｄ）のように配光制御部材２を垂下姿勢にしても係合孔部１４の一対向縁部１５に脚片６の一方が引っ掛かったままで仮吊り部１７に移動しないことが起こり得るので、ばね受け４にこじり応力が加わる。
【００２４】
また係合孔部１４を挿入容易な幅にすることにより、ばね挿入時の施工性が良好になり、かつ支持ばね３の一対向縁部１５から仮吊り部１７への移動、したがって配光制御部材２の取付状態から仮吊り状態への移行が確実に行なわれる。
さらに、仮吊り部１７の隙間２５を通して支持ばね３を係合孔部１４に抜き差しできるので施工容易になる。その他、第１の実施の形態と同様な効果がある。
【００２５】
この発明の第３の実施の形態を図９により説明する。すなわち、この照明器具は、第２の実施の形態において、係合孔部１４の長手方向の両端の形状は最大幅部１５ａに接近するにつれて略連続的に幅が変化するように形成している。
図９（ａ）は係合孔部１４の孔縁を一対向縁部１５の短手方向の最大幅部１５ａと反対側を最小幅部として、最小幅部から最大幅部１５ａにかけて直線状に傾斜しており、（ｂ）は（ａ）の孔縁を直線ではなく凹曲線状に形成している。
【００２６】
この実施の形態によれば、支持ばね３は、両脚片６が一対向縁部１５に係合するとそのたわみ量の少ない位置に自然と収まるように図（ｃ）のように係合孔部１４の一対向縁部１５の任意の位置からスムースに最大幅部１５ａに移行することができる。そのため、第２の実施の形態と同様の効果のほか施工性が向上する。
【００２７】
この発明の第４の実施の形態を図１０により説明する。すなわち、この照明器具は、第３の実施の形態において、係合孔部１４の長手方向における仮吊り部１７の最大間隔Ｌ3 を係合孔部１４の最大幅部１５の間隔よりも大とし、支持ばね３の両脚片６を最大幅部１５ａから仮吊り部１７に支持ばね３をガイドするガイド部２９を設けている。係合孔部１４の両端の一対向縁部１５を直線状に最大幅部１５ａに向けて傾斜し、実施の形態のガイド部２９は、この傾斜に沿って連続するように仮吊り部１７の突出部２０の付け根を傾斜している。このため、両脚片６の開脚方向の傾斜に沿わことから、係合孔部１４の支持ばね３の両脚片６が配光制御部材２を水平姿勢から垂下姿勢に回動した際に仮吊り部１７にスムースに移動することができる。
【００２８】
その他は、第３の実施の形態と同様である。
この発明の第５の実施の形態を図１１および図１２により説明する。すなわち、この照明器具は、第４の実施の形態において、仮吊り部１７は係合孔部１４の長手方向の両端にそれぞれ分離しており、その隙間２５に対向する対向端に、支持ばね３の両脚片６が相接近する方向に移動するのを制限する移動制限手段２８を設けている。
【００２９】
実施の形態の移動制限手段２８は、仮吊り部１７の外れ防止片２１の先端を突出部２０の突出方向と反対向きに折曲したものである。
この実施の形態によれば、仮吊り部１７の隙間２５を通して支持ばね３を係合孔部１４に抜き差しできるので施工容易になるとともに、移動制限手段２８により支持ばね３を不用意につまんで配光制御部材２が外れるのを防止することができる。その他は第４の実施の形態と同様である。
【００３０】
なお、各実施の形態では配光制御部材２を支持ばね３のみで器具本体１に取付けたが、一部は係脱自在な引掛手段や係止手段を用いて配光制御部材２を器具本体１に取付けてもよい。
【００３１】
【発明の効果】
請求項１記載の照明器具によれば、配光制御部材の取付状態である水平姿勢から仮吊り状態である垂下姿勢に回動するとき、支持ばねの両脚片が係合孔部の一対向縁部への係合状態から仮吊り部への係合状態に移動するため、従来のように支持ばねが反らなくなり、配光制御部材に加わる応力を防止することができる。またばね受けは固定されているので施工容易である。
【００３２】
請求項２記載の照明器具によれば、請求項１と同様な効果のほか、配光制御部材が水平姿勢から垂下姿勢に回動するとき、支持ばねが最大幅部から仮吊り部にスムースに移行することができるので、施工がさらに容易になり、不用意な取扱いに対しても配光制御部材がより一層破損しにくくなる。
請求項３記載の照明器具によれば、請求項２と同様な効果のほか、支持ばねは係合孔部の一対向縁部の任意の位置からスムースに最大幅部に移行することができる。
【００３３】
請求項４記載の照明器具によれば、請求項２と同様な効果のほか、ガイド部により支持ばねが最大幅部から仮吊り部にスムースに移行することができる。
請求項５記載の照明器具によれば、請求項１と同様な効果のほか、仮吊り部の隙間を通して支持ばねを係合孔部に抜き差しできるので施工容易になるとともに、移動制限手段により支持ばねを不用意につまんで配光制御部材が外れるのを防止することができる。
【図面の簡単な説明】
【図１】この発明の第１の実施の形態の断面図である。
【図２】その斜視図である。
【図３】図１の部分断面図である。
【図４】配光制御部材の取付け動作を説明する説明図である。
【図５】配光制御部材の取外し動作を説明する説明図である。
【図６】支持ばねとばね受けの係合関係を説明する説明図であり、（ａ）は配光制御部材の取付状態の部分平面図、（ｂ）はその部分断面図である。
【図７】（ａ）は配光制御部材の取付状態の部分斜視図、（ｂ）は配光制御部材の仮吊り状態の部分斜視図である。
【図８】（ａ）は第２の実施の形態の配光制御部材の取付状態の部分平面図、（ｂ）はその斜視図、（ｃ）は最大幅部がない例の配光制御部材の部分平面図、（ｄ）は（ｃ）の場合に支持ばねの片方の脚片が仮吊り部に引っ掛かっていない状態の斜視図である。
【図９】（ａ）は第３の実施の形態の配光制御部材の取付状態の部分平面図、（ｂ）は別の形態の配光制御部材の取付状態の部分平面図、（ｃ）はその支持ばねのおさまり状態の部分斜視図である。
【図１０】（ａ）は第４の実施の形態の配光制御部材の仮吊り状態の部分正面図、（ｂ）はそのばね受けの底面図である。
【図１１】（ａ）は第５の実施の形態の配光制御部材の仮吊り状態の部分正面図、（ｂ）はそのばね受けの底面図である。
【図１２】配光制御部材を仮吊りした状態の部分斜視図である。
【図１３】（ａ）は埋込型照明器具の斜視図、（ｂ）は直付け型照明器具の斜視図である。
【図１４】（ａ）は従来例の埋込型照明器具の断面図、（ｂ）はその支持ばねの取付状態の斜視図である。
【図１５】（ａ）は別の従来例の埋込型照明器具の断面図、（ｂ）はその支持ばねの取付状態の斜視図である。
【図１６】埋込型照明器具の下面カバーを仮吊りした状態の断面図である。
【図１７】（ａ）は直付け型照明器具の下面カバーを閉じた状態の断面図、（ｂ）はその支持ばねとばね受けの係合関係を示す部分斜視図、（ｃ）は下面カバーを仮吊りした状態の断面図、（ｄ）は（ｃ）の支持ばねとばね受けの係合関係を示す部分断面図、（ｅ）は（ｄ）の下面カバーにかかる応力の説明図である。
【図１８】可動なばね受けを有する別の従来例の直付け型照明器具であり、（ａ）は下面カバーを取付ける途中の概略断面図、（ｂ）は下面カバーを取付けて器具本体に接近する前の状態の概略断面図、（ｃ）は支持ばねとばね受けの係合関係を示す部分斜視図、（ｄ）は支持ばねの間違った係合状態を示す部分斜視図である。
【符号の説明】
１    器具本体
２    配光制御部材
３    支持ばね
４    ばね受け
５    下面開口
６    脚片
１１    中央部
１２    引っ掛かり部
１４    係合孔部
１５    一対向縁部
１５ａ    最大幅部
１６    取付支持板
１７    仮吊り部
２０    折曲部
２５    隙間
２８    移動制御手段
２９    ガイド部
【図１】
0003807078.tif 000002
【図２】
0003807078.tif 000003
【図３】
0003807078.tif 000004
【図４】
0003807078.tif 000005
【図５】
0003807078.tif 000006
【図６】
0003807078.tif 000007
【図７】
0003807078.tif 000008
【図８】
0003807078.tif 000009
【図９】
0003807078.tif 000010
【図１０】
0003807078.tif 000011
【図１１】
0003807078.tif 000012
【図１２】
0003807078.tif 000013
【図１３】
0003807078.tif 000014
【図１４】
0003807078.tif 000015
【図１５】
0003807078.tif 000016
【図１６】
0003807078.tif 000017
【図１７】
0003807078.tif 000018
【図１８】
0003807078.tif 000019